(57)【要約】      （修正有）【課題】水回り器具に取り付けた状態におけるガタつきを抑制することができるハンドル装置、吐水装置、及び、これらの装置を水回り器具に取り付ける方法を提供する。【解決手段】吐水装置１は、水回り器具４の壁部４ａに形成された取付穴に挿入される本体部１２と、本体部に対してその中心軸線と同一の軸線回りで回転可能に設けられたハンドル操作部２０と、水回り器具の取付穴４ｂに挿入された状態の本体部を水回り器具に対して固定する固定部材２４，２６，２８と、を有し、固定部材は、水回り器具の取付穴に挿入された状態の本体部に取り付けられる取付板を備え、この取付板は、本体部を取付穴に押し付けた状態で固定するように構成されている。【選択図】図１
2020111971.tif 000002
【特許請求の範囲】
【請求項１】
水回り器具に取り付けられるハンドル装置であって、
上記水回り器具の壁部に形成された取付穴に挿入される本体部と、
上記本体部に対してその中心軸線と同一の軸線回りで回転可能に設けられたハンドル操作部と、
上記水回り器具の取付穴に挿入された状態の上記本体部を上記水回り器具に対して固定する固定部材と、を有し、
上記固定部材は、上記水回り器具の取付穴に挿入された状態の上記本体部に取り付けられる取付板を備え、この取付板は、上記本体部を上記取付穴に押し付けた状態で固定するように構成されていることを特徴とするハンドル装置。
【請求項２】
上記取付板は、上記取付穴の内部領域において上記本体部を上記取付穴の軸方向に対して垂直な方向に押し付けるように構成されている請求項１記載のハンドル装置。
【請求項３】
上記取付穴は、上記水回り器具の縦壁部を貫くように形成され、上記取付板は、上記取付穴の内部領域内の上記本体部を上方から下方に向けて押し付けるように構成されている請求項２記載のハンドル装置。
【請求項４】
さらに、上記本体部又は上記取付板のいずれか一方に設けられた突起部と、上記本体部又は上記取付板のいずれか他方に設けられて上記突起部に嵌合する凹部と、を有し、
上記取付板は、上記突起部と上記凹部とが嵌合した状態で上記本体部と共に上記水回り器具に固定されるように構成されている請求項１乃至３の何れか１項に記載のハンドル装置。
【請求項５】
上記突起部は、上記本体部又は上記取付板のいずれか一方に左右対称にそれぞれ設けられた第１突起部及び第２突起部であり、
上記凹部は、上記本体部又は上記取付板のいずれか他方に左右対称にそれぞれ設けられて且つ上記第１突起部及び上記第２突起部のそれぞれに嵌合する第１凹部及び第２凹部である請求項４記載のハンドル装置。
【請求項６】
上記突起部は、上記凹部に嵌合可能な状態で上記取付穴の軸方向に突出している請求項４又は５に記載のハンドル装置。
【請求項７】
上記固定部材は、さらに、上記取付板に取り付けられるねじ部材を備えており、このねじ部材は、上記取付穴に対する上記取付板の相対位置を調整可能に構成されている請求項１乃至６の何れか１項に記載のハンドル装置。
【請求項８】
上記取付板は、上記本体部を上記取付穴に対して押し付ける第１取付板と、上記水回り器具に係合する第２取付板と、を備え、
上記ねじ部材は、上記第１取付板及び上記第２取付板の双方に共通で取り付けられ、上記取付穴及び上記第２取付板に対する上記第１取付板の相対位置を調整可能に構成され、
上記ねじ部材は、上記第２取付板に螺合した状態でその先端部が上記第１取付板に当接するように構成され、この第１取付板は、上記第２取付板から上記ねじ部材を介して受ける反力により上記本体部を上記取付穴に押し付けるように構成されている請求項７記載のハンドル装置。
【請求項９】
上記ねじ部材は、左右対称に配置された第１ねじ部材及び第２ねじ部材を備えている請求項７又は８に記載のハンドル装置。
【請求項１０】
請求項１乃至９の何れか１項に記載のハンドル装置を備えた吐水装置であって、
上記ハンドル装置のハンドル操作部の操作により吐止水を行う吐水部を有し、
上記吐水部は、上記ハンドル装置の本体部に一体に設けられていることを特徴とする吐水装置。
【請求項１１】
ハンドル装置又は吐水装置を水回り器具に取り付ける取付方法であって、
壁部に取付穴が形成された水回り器具を準備する工程と、本体部を備えたハンドル装置を準備する工程又は上記ハンドル装置の本体部に一体に設けられた吐水部を備えた吐水装置を準備する工程と、固定部材の取付板及びねじ部材を準備する工程と、を含む準備工程と、
上記本体部を上記水回り器具の取付穴に挿入した後、上記本体部の一部を上記取付穴内の領域で当接させて仮位置決めする仮位置決め工程と、
上記本体部又は上記取付板のいずれか一方に設けられた突起部と、上記本体部又は上記取付板のいずれか他方に設けられた凹部とを嵌合させる嵌合工程と、
上記取付板に上記ねじ部材を取り付けた後、このねじ部材を中心軸線回りに回すことにより、上記水回り器具の取付穴に対する上記取付板の相対位置を調整し、上記取付板によって上記本体部を上記取付穴に押し付ける調整／押付工程と、
上記ねじ部材をさらに締め込むことにより、上記取付板を介して上記本体部を上記取付穴に押し付けて固定する固定工程と、
を有することを特徴とする取付方法。
【請求項１２】
上記嵌合工程において、上記突起部及び上記凹部を上記取付穴の内部領域において互いに嵌合させて、上記調整／押付工程及び上記固定工程において、上記取付板が上記突起部及び上記凹部を介して上記本体部を上記取付穴に対して押し付ける請求項１１記載の取付方法。
【請求項１３】
上記取付穴は、上記水回り器具の縦壁部を貫くように形成されており、上記調整／押付工程及び上記固定工程において、上記取付穴に挿入された状態の上記本体部を上記取付板により上方から下方に向けて押し付ける請求項１１又は１２に記載の取付方法。
【請求項１４】
上記突起部は、上記本体部又は上記取付板のいずれか一方に左右対称に設けられた第１突起部及び第２突起部であり、
上記凹部は、上記本体部又は上記取付板のいずれか他方に左右対称に設けられて上記第１突起部及び上記第２突起部のそれぞれに嵌合する第１凹部及び第２凹部である請求項１１乃至１３の何れか１項に記載の取付方法。
【請求項１５】
上記仮位置決め工程において、上記本体部の一部を上記取付穴に当接させた後、上記突起部を上記取付穴の軸方向に突出させることにより、上記凹部と嵌合可能にする請求項１１乃至１４の何れか１項に記載の取付方法。
【請求項１６】
上記取付板は、上記本体部を上記取付穴に対して押し付ける第１取付板と、上記水回り器具の取付穴に係合する第２取付板と、を備え、
上記ねじ部材は、上記第１取付板及び上記第２取付板の双方に共通で取り付けられ、上記取付穴及び上記第２取付板に対する上記第１取付板の相対位置を調整可能に構成され、
上記ねじ部材は、上記第２取付板に螺合した状態でその端部が上記第１取付板に当接するように構成され、この第１取付板は、上記第２取付板から上記ねじ部材を介して受ける反力により上記本体部を上記取付穴に押し付けるように構成されている請求項１１乃至１５の何れか１項に記載の取付方法。
【請求項１７】
上記ねじ部材は、上記取付板に対して左右対称に配置されて第１ねじ部材及び第２ねじ部材を備えている請求項１１乃至１６の何れか１項に記載の取付方法。
【発明の詳細な説明】
【技術分野】
【０００１】
本発明は、ハンドル装置、吐水装置、及び、これらの装置を水回り器具に取り付ける方法に係り、特に、水回り器具に取り付けられるハンドル装置、このハンドル装置を備えた吐水装置、及び、これらのハンドル装置又は吐水装置を水回り器具に取り付ける方法に関する。
【背景技術】
【０００２】
従来から、ハンドル装置として、例えば、特許文献１に記載されているように、水回り器具に取り付けられるものが知られている。
このような従来のハンドル装置においては、吐水部を備えた水栓装置について吐止水する操作を行う操作部として機能するものであり、ハンドル部材が、手洗い器の後方側の壁面の取付穴の前側（表側）に固定部材を介して設けられており、取付穴の中心軸線と同一の軸線回りで回転可能となっている。
また、手洗い器の後方側の壁面の取付穴の後方側（裏側）には、水栓本体が設けられており、手洗い器の後方側の壁面を表側の固定部材と裏側の水栓本体とで挟み込むことにより固定している。
一方、ハンドル装置や吐水装置が取り付けられる手洗い器やカウンター等の水回り器具は、長期的な強度及び耐久性や清掃性等の衛生面を考慮し、陶器製のものも多く使用されている。
また、このような水回り器具に取り付けられるハンドル装置や吐水装置については、意匠性を考慮して、例えば、外観形状を細身で筒状のスタイリッシュな形状に設計したり、手洗い器の壁面やカウンター面からの前出寸法を抑制するために、装置全体を小型化したりする工夫がなされている。
さらに、このような従来のハンドル装置や吐水装置においては、手洗い器やカウンター等の水回り器具に取り付ける場合には、ハンドル装置や吐水装置の本体部が水回り器具の取付穴に挿入された状態で固定されるようになっている。
しかしながら、上述した従来のハンドル装置や吐水装置においては、例えば、使用者がハンドル装置の操作部の回転操作を長期的に繰り返して使用すると、操作部の回転力により取付穴内でハンドル装置や吐水装置の本体部自体が供回りしてしまい、ハンドル装置や吐水装置のガタつきが発生するという問題があった。
そこで、水回り器具の取付穴の断面形状について円形以外の形状（例えば、Ｄ字形形状）に設計することにより、使用者がハンドル装置の操作部を回転操作しても、本体部が取付穴内で動き難くすることにより、ハンドル装置や吐水装置のガタつきを抑制していた。
【０００３】
【特許文献１】特開２０１６−３７７６０号公報
【発明の開示】
【発明が解決しようとする課題】
【０００４】
しかしながら、特に、ハンドル装置や吐水装置が取り付けられる水回り器具（手洗い器等）が陶器製である場合には、陶器の製造誤差等により取付穴の寸法公差が大きく変動するため、ハンドル装置や吐水装置の本体部と取付穴との間に隙間が形成されることになる。
これにより、水回り器具の取付穴の断面形状について円形以外の形状（例えば、Ｄ字形形状）に設計したとしても、ハンドル装置や吐水装置のガタつきを完全に抑制することが難しいという問題がある。
さらに、特に、ハンドル装置の操作部が取付穴の中心軸線と同一の軸線回りで回転するような形態では、操作部を回転操作した際に、その回転トルクが本体部に対して取付穴の周方向に作用するため、ハンドル装置のガタつきが発生し易いという問題がある。
【０００５】
そこで、本発明は、上述した従来技術の問題を解決するためになされたものであり、水回り器具に取り付けた状態におけるガタつきを抑制することができるハンドル装置、吐水装置、及び、これらの装置を水回り器具に取り付ける方法を提供することを目的としている。
【課題を解決するための手段】
【０００６】
上述した課題を解決するために、本発明は、水回り器具に取り付けられるハンドル装置であって、上記水回り器具の壁部に形成された取付穴に挿入される本体部と、上記本体部に対してその中心軸線と同一の軸線回りで回転可能に設けられたハンドル操作部と、上記水回り器具の取付穴に挿入された状態の上記本体部を上記水回り器具に対して固定する固定部材と、を有し、上記固定部材は、上記水回り器具の取付穴に挿入された状態の上記本体部に取り付けられる取付板を備え、この取付板は、上記本体部を上記取付穴に押し付けた状態で固定するように構成されていることを特徴としている。
このように構成された本発明においては、ハンドル装置を水回り器具に取り付ける際に、本体部を水回り器具の取付穴に挿入した状態で、取付穴と本体部との間に隙間が生じていた場合であっても、固定部材の取付板により、本体部を取付穴に押し付けた状態にして固定することができる。
したがって、本体部を水回り器具の取付穴と固定部材の取付板とにより挟み込んで確実に固定することができる。
また、本体部が固定された状態において、ハンドル操作部を本体部に対してその中心軸線と同一の軸線回りに回転操作したとしても、本体部が常に取付板から取付穴に押し付けられた位置から動き難くなっているため、ハンドル装置が水回り器具に対してガタつくことを抑制することができる。
【０００７】
本発明において、好ましくは、上記取付板は、上記取付穴の内部領域において上記本体部を上記取付穴の軸方向に対して垂直な方向に押し付けるように構成されている。
このように構成された本発明においては、取付板が取付穴の内部領域において本体部を取付穴の軸方向に対して垂直な方向に押し付けた際に、取付板が本体部を押し付ける力（押付力）と取付穴から本体部に作用する力（反力）とが互いに対向する方向（挟み込む方向）に作用することができる。
したがって、取付板と取付穴とが互いに本体部を挟み込む力を強くすることができるため、本体部を水回り器具の取付穴に対して強力に固定することができる。
また、ハンドル操作部を回転操作した際においても、ハンドル装置が水回り器具に対してガタつくことをより効果的に抑制することができる。
【０００８】
本発明において、好ましくは、上記取付穴は、上記水回り器具の縦壁部を貫くように形成され、上記取付板は、上記取付穴の内部領域内の上記本体部を上方から下方に向けて押し付けるように構成されている。
このように構成された本発明においては、水回り器具の縦壁部を貫くように形成された取付穴に対して、本体部を挿入して取り付けた際に、取付穴の内部領域内の本体部を取付板により上方から下方に向けて押し付けることができる。
これにより、水回り器具の縦壁部の取付穴の内部領域内に挿入された本体部が上方から下方に向けて押し付けられた状態で、ハンドル装置全体について本体部や取付板に対して左右対称の位置で施工がし易くなるため、施工性を向上させることができる。
【０００９】
本発明において、好ましくは、さらに、上記本体部又は上記取付板のいずれか一方に設けられた突起部と、上記本体部又は上記取付板のいずれか他方に設けられて上記突起部に嵌合する凹部と、を有し、上記取付板は、上記突起部と上記凹部とが嵌合した状態で上記本体部と共に上記水回り器具に固定されるように構成されている。
このように構成された本発明においては、本体部を水回り器具の取付穴に挿入して取り付ける際に、本体部又は取付板のいずれか一方の突起部と、本体部又は取付板のいずれか他方の凹部とを嵌合させることにより、取付板から作用する押付力について、突起部及び凹部を介して本体部に確実に伝達させることができる。
したがって、取付板及び本体部を水回り器具に対して確実に固定することができると共に、ハンドル装置全体のガタつきをより効果的に抑制することができる。
【００１０】
本発明において、好ましくは、上記突起部は、上記本体部又は上記取付板のいずれか一方に左右対称にそれぞれ設けられた第１突起部及び第２突起部であり、上記凹部は、上記本体部又は上記取付板のいずれか他方に左右対称にそれぞれ設けられて且つ上記第１突起部及び上記第２突起部のそれぞれに嵌合する第１凹部及び第２凹部である。
このように構成された本発明においては、第１突起部及び第２突起部のそれぞれが本体部又は取付板のいずれか一方に左右対称に設けられていると共に、第１凹部及び第２凹部のそれぞれが本体部又は取付板のいずれか他方に左右対称に設けられているため、第１突起部及び第２突起部のそれぞれと第１凹部及び第２凹部のそれぞれとを嵌合させた状態では、突起部及び凹部が単一の場合に比べて、より強力に嵌合させることができる。
また、取付板によって本体部を左右対称にバランスよく押し付けて水回り器具の取付穴に対してより確実に固定することができる。
したがって、取付板及び本体部が水回り器具の取付穴に対してガタつくことをさらに効果的に抑制することができるため、ハンドル装置全体のガタつきをさらに効果的に抑制することができる。
【００１１】
本発明において、好ましくは、上記突起部は、上記凹部に嵌合可能な状態で上記取付穴の軸方向に突出している。
このように構成された本発明においては、本体部を水回り器具の取付穴に挿入して取り付ける際に、取付穴が形成されている水回り器具の壁部の厚みが変化した場合であっても、突起部が凹部に嵌合可能な状態で取付穴の軸方向に突出しているため、突起部と凹部とを互いに取付穴の軸方向において確実に嵌合させることができる。
【００１２】
本発明において、好ましくは、上記固定部材は、さらに、上記取付板に取り付けられるねじ部材を備えており、このねじ部材は、上記取付穴に対する上記取付板の相対位置を調整可能に構成されている。
このように構成された本発明においては、固定部材が、さらに、取付板に取り付けられるねじ部材を備えており、このねじ部材を調整することにより、取付穴に対する取付板の相対位置を調整することができる。
また、ねじ部材が取付板を水回り器具に対して固定することができると共に、この固定した取付板を介して本体部を水回り器具の取付穴に対して固定する固定部材として機能することができる。
【００１３】
本発明において、好ましくは、上記取付板は、上記本体部を上記取付穴に対して押し付ける第１取付板と、上記水回り器具に係合する第２取付板と、を備え、上記ねじ部材は、上記第１取付板及び上記第２取付板の双方に共通で取り付けられ、上記取付穴及び上記第２取付板に対する上記第１取付板の相対位置を調整可能に構成され、上記ねじ部材は、上記第２取付板に螺合した状態でその先端部が上記第１取付板に当接するように構成され、この第１取付板は、上記第２取付板から上記ねじ部材を介して受ける反力により上記本体部を上記取付穴に押し付けるように構成されている。
このように構成された本発明においては、第１取付板を水回り器具に対して直接的に固定することができない場合であっても、水回り器具に係合する第２取付板に螺合した状態のねじ部材の先端部が第１取付板に当接することができる。これにより、第１取付板が、第２取付板からねじ部材を介して受ける反力によって本体部を取付穴に押し付けることができる。
【００１４】
本発明において、好ましくは、上記ねじ部材は、左右対称に配置された第１ねじ部材及び第２ねじ部材を備えている。
このように構成された本発明においては、第１ねじ部材及び第２ねじ部材が左右対称に配置されていることにより、取付板によって本体部を取付穴に対して左右対称にバランスよく押し付けることができる。
【００１５】
つぎに、本発明は、上記ハンドル装置を備えた吐水装置であって、上記ハンドル装置のハンドル操作部の操作により吐止水を行う吐水部を有し、上記吐水部は、上記ハンドル装置の本体部に一体に設けられていることを特徴としている。
このように構成された本発明においては、ハンドル装置の本体部と吐水部とが一体に設けられた吐水装置について、水回り器具に対してガタつくことを抑制することができる。
【００１６】
つぎに、本発明は、ハンドル装置又は吐水装置を水回り器具に取り付ける取付方法であって、壁部に取付穴が形成された水回り器具を準備する工程と、本体部を備えたハンドル装置を準備する工程又は上記ハンドル装置の本体部に一体に設けられた吐水部を備えた吐水装置を準備する工程と、固定部材の取付板及びねじ部材を準備する工程と、を含む準備工程と、上記本体部を上記水回り器具の取付穴に挿入した後、上記本体部の一部を上記取付穴内の領域で当接させて仮位置決めする仮位置決め工程と、上記本体部又は上記取付板のいずれか一方に設けられた突起部と、上記本体部又は上記取付板のいずれか他方に設けられた凹部とを嵌合させる嵌合工程と、上記取付板に上記ねじ部材を取り付けた後、このねじ部材を中心軸線回りに回すことにより、上記水回り器具の取付穴に対する上記取付板の相対位置を調整し、上記取付板によって上記本体部を上記取付穴に押し付ける調整／押付工程と、上記ねじ部材をさらに締め込むことにより、上記取付板を介して上記本体部を上記取付穴に押し付けて固定する固定工程と、を有することを特徴としている。
このように構成された本発明においては、ハンドル装置又は吐水装置を水回り器具に取り付ける際に、本体部を水回り器具の取付穴に挿入した状態で、取付穴と本体部との間に隙間が生じていた場合であっても、固定部材の取付板及びねじ部材により、本体部を取付穴に押し付けた状態にして固定することができる。
したがって、本体部を水回り器具の取付穴と固定部材の取付板とにより挟み込んで確実に固定することができる。
また、本体部が固定された状態において、ハンドル操作部を本体部に対してその中心軸線と同一の軸線回りに回転操作したとしても、本体部が常に取付板から取付穴に押し付けられた位置から動き難くなっているため、ハンドル装置又は吐水装置が水回り器具に対してガタつくことを抑制することができる。
さらに、本体部を水回り器具の取付穴に挿入して取り付ける際に、本体部又は取付板のいずれか一方の突起部と、本体部又は取付板のいずれか他方の凹部とを嵌合させることにより、取付板から作用する押付力を突起部及び凹部を介して本体部に確実に伝達させることができる。
したがって、取付板及び本体部を水回り器具に対して確実に固定することができると共に、ハンドル装置又は吐水装置の全体のガタつきを抑制することができる。
また、調整／押付工程及び固定工程において、ねじ部材を調整することにより、取付穴に対する取付板の相対位置を調整することができる。これにより、ねじ部材が取付板を水回り器具に対して固定することができると共に、この固定した取付板を介して本体部を水回り器具の取付穴に対して固定した状態の固定力を調整することができる。
【００１７】
本発明において、好ましくは、上記嵌合工程において、上記突起部及び上記凹部を上記取付穴の内部領域において互いに嵌合させて、上記調整／押付工程及び上記固定工程において、上記取付板が上記突起部及び上記凹部を介して上記本体部を上記取付穴に対して押し付ける。
このように構成された本発明においては、取付板が取付穴の内部領域において本体部を取付穴に対して押し付けた際に、取付板が本体部を押し付ける力（押付力）と取付穴から本体部に作用する力（反力）とが互いに対向する方向（挟み込む方向）に作用することができる。
したがって、取付板と取付穴とが互いに本体部を挟み込む力を強くすることができるため、本体部を水回り器具の取付穴に対して強力に固定することができる。
また、ハンドル操作部を回転操作した際においても、ハンドル装置又は吐水装置が水回り器具に対してガタつくことをより効果的に抑制することができる。
【００１８】
本発明において、好ましくは、上記取付穴は、上記水回り器具の縦壁部を貫くように形成されており、上記調整／押付工程及び上記固定工程において、上記取付穴に挿入された状態の上記本体部を上記取付板により上方から下方に向けて押し付ける。
このように構成された本発明においては、水回り器具の縦壁部を貫くように形成された取付穴に対して、本体部を挿入して取り付けた際に、水回り器具の縦壁部の取付穴の内部領域内の本体部を取付板により上方から下方に向けて押し付けることができる。
これにより、ハンドル装置又は吐水装置の全体について本体部や取付板に対して左右対称の位置で施工がし易くなるため、施工性を向上させることができる。
【００１９】
本発明において、好ましくは、上記突起部は、上記本体部又は上記取付板のいずれか一方に左右対称に設けられた第１突起部及び第２突起部であり、上記凹部は、上記本体部又は上記取付板のいずれか他方に左右対称に設けられて上記第１突起部及び上記第２突起部のそれぞれに嵌合する第１凹部及び第２凹部である。
このように構成された本発明においては、第１突起部及び第２突起部のそれぞれが本体部又は取付板のいずれか一方に左右対称に設けられていると共に、第１凹部及び第２凹部のそれぞれが本体部又は取付板のいずれか他方に左右対称に設けられているため、第１突起部及び第２突起部のそれぞれと第１凹部及び第２凹部のそれぞれとを嵌合させた状態では、突起部及び凹部が単一の場合に比べて、より強力に嵌合させることができる。
また、取付板によって本体部を左右対称にバランスよく押し付けて水回り器具の取付穴に対してより確実に固定することができる。
したがって、取付板及び本体部が水回り器具の取付穴に対してガタつくことをさらに効果的に抑制することができるため、ハンドル装置又は吐水装置の全体のガタつきをさらに効果的に抑制することができる。
【００２０】
本発明において、好ましくは、上記仮位置決め工程において、上記本体部の一部を上記取付穴に当接させた後、上記突起部を上記取付穴の軸方向に突出させることにより、上記凹部と嵌合可能にする。
このように構成された本発明においては、本体部を水回り器具の取付穴に挿入して取り付ける際に、取付穴が形成されている水回り器具の壁部の厚みが変化した場合であっても、突起部が凹部に嵌合可能な状態で取付穴の軸方向に突出しているため、突起部と凹部とを互いに取付穴の軸方向において確実に嵌合させることができる。
【００２１】
本発明において、好ましくは、上記取付板は、上記本体部を上記取付穴に対して押し付ける第１取付板と、上記水回り器具の取付穴に係合する第２取付板と、を備え、上記ねじ部材は、上記第１取付板及び上記第２取付板の双方に共通で取り付けられ、上記取付穴及び上記第２取付板に対する上記第１取付板の相対位置を調整可能に構成され、上記ねじ部材は、上記第２取付板に螺合した状態でその端部が上記第１取付板に当接するように構成され、この第１取付板は、上記第２取付板から上記ねじ部材を介して受ける反力により上記本体部を上記取付穴に押し付けるように構成されている。
このように構成された本発明においては、第１取付板を水回り器具に対して直接的に固定することができない場合であっても、水回り器具に係合する第２取付板に螺合した状態のねじ部材の端部が第１取付板に当接することができる。これにより、第１取付板が、第２取付板からねじ部材を介して受ける反力によって本体部を取付穴に押し付けることができる。
【００２２】
本発明において、好ましくは、上記ねじ部材は、上記取付板に対して左右対称に配置されて第１ねじ部材及び第２ねじ部材を備えている。
このように構成された本発明においては、第１ねじ部材及び第２ねじ部材が左右対称に配置されていることにより、取付板によって本体部を取付穴に対して左右対称にバランスよく押し付けることができる。
【発明の効果】
【００２３】
本発明のハンドル装置、吐水装置、及び、これらの装置を水回り器具に取り付ける方法によれば、水回り器具に取り付けた状態におけるガタつきを抑制することができる。
【図面の簡単な説明】
【００２４】
【図１】本発明の第１実施形態による吐水装置の概略斜視図である。
【図２】本発明の第１実施形態による吐水装置の分解斜視図である。
【図３】図１のＩＩＩ−ＩＩＩ線に沿った断面図である。
【図４】本発明の第１実施形態による吐水装置の背面図である。
【図５】本発明の第１実施形態による吐水装置を手洗い器に取り付ける第１取付工程を概略的に説明した図である。
【図６】本発明の第１実施形態による吐水装置を手洗い器に取り付ける第２取付工程を概略的に説明した図である。
【図７】本発明の第１実施形態による吐水装置を手洗い器に取り付ける第３取付工程を概略的に説明した図である。
【図８】本発明の第１実施形態による吐水装置を手洗い器に取り付ける第４取付工程を概略的に説明した図である。
【図９】本発明の第１実施形態による吐水装置を手洗い器に取り付ける第５取付工程を概略的に説明した図である。
【図１０】本発明の第１実施形態による吐水装置を手洗い器に取り付ける第６取付工程を概略的に説明した図である。
【図１１】本発明の第１実施形態による吐水装置を手洗い器に取り付ける第７取付工程を概略的に説明した図である。
【図１２】本発明の第２実施形態による吐水装置の概略斜視図である。
【図１３】図１２のＸＩＩＩ−ＸＩＩＩ線に沿った断面図である。
【図１４】本発明の第２実施形態による吐水装置を斜め後方から見た斜視図である。
【発明を実施するための形態】
【００２５】
まず、図１〜図４を参照して、本発明の第１実施形態によるハンドル装置を備えた吐水装置について説明する。
図１は、本発明の第１実施形態による吐水装置の概略斜視図である。また、図２は、本発明の第１実施形態による吐水装置の分解斜視図である。さらに、図３は、図１のＩＩＩ−ＩＩＩ線に沿った断面図である。また、図４は、本発明の第１実施形態による吐水装置の背面図である。
図１に示すように、本発明の第１実施形態による吐水装置１は、この吐水装置１を操作するハンドル装置２を備えており、陶器製の手洗い器４のボウル（図示せず）の後方側から上方に延びる縦壁部４ａに取り付けられるものである。
手洗い器４は、例えば、トイレ室内における便器周辺の壁面等に取り付けられる壁掛式の水回り器具であり、吐水装置１から手洗い器４のボウル（図示せず）内に向けて吐水された洗浄水により、便器使用後の使用者等が手指を洗うことができるようになっている。
【００２６】
つぎに、図１〜図４に示すように、本実施形態の吐水装置１は、手洗い器４の縦壁部４ａの表側面Ｆから前方に向かって、パッキン６、台座８、シール部材１０、水栓本体１２（本体部）、バルブカートリッジ１４、保持部材１６，１８、及び、ハンドル２０（ハンドル操作部）をそれぞれ備えている。
また、図１〜図４に示すように、吐水装置１は、手洗い器４の縦壁部４ａの裏側面Ｂ１から後方に向かって、陶器保護用プレート２２、取付板２４（固定部材）、取付板用ねじ部材２６，２８（固定部材）、座金３０、給水ホース３２、及び、座金用ねじ部材３４，３６をそれぞれ備えている。
【００２７】
図１〜図４に示すように、水栓本体１２（本体部）は、円筒部１２ａ、吐水部１２ｂ、及び、取付部１２ｃをそれぞれ備えている。
まず、水栓本体１２の円筒部１２ａは、ほぼ円筒状に形成されており、その内部にバルブカートリッジ１４が内蔵されている。
また、円筒部１２ａに内蔵されたバルブカートリッジ１４は、その前方側が保持部材１６，１８によって保持されている。
さらに、バルブカートリッジ１４は、その内部流路（図示せず）を開閉するバルブ（図示せず）が内蔵されており、さらに、このバルブ（図示せず）の開閉操作を可能にする操作レバー１４ａを備えている。この操作レバー１４ａは、その前方側のハンドル装置２の構成の一部であるハンドル２０（ハンドル操作部）に連結されている。
【００２８】
つぎに、図１及び図２に示すように、水栓本体１２の吐水部１２ｂは、円筒部１２ａの下面から斜め下方且つ前方に突出するように円筒部１２ａに対して一体に設けられており、吐水部１２ｂの下端には、吐水口１２ｄが設けられている。
例えば、ハンドル２０の摘み部２０ａについて、その先端が水平横向きに差し向けられた位置（止水位置）から上向きに差し向けられる位置（吐水位置）まで、吐水装置１の中心軸線Ｃ１と同一の軸線回りに回転操作することにより、吐水部１２ｂの下端の吐水口１２ｄからの吐水を止水状態から吐水状態に切り替えることができるようになっている。
また、図１〜図３に示すように、水栓本体１２の取付部１２ｃは、円筒部１２ａの後端から後方側に突出するように円筒部１２ａに対して一体に設けられており、その外径が円筒部１２ａの外径よりも小さく設定されている。
【００２９】
さらに、水栓本体１２の取付部１２ｃは、手洗い器４の縦壁部４ａを前後方向に貫くように形成された取付穴４ｂに挿入された状態で取り付けられるようになっている。
より具体的には、図３に示すように、水栓本体１２の取付部１２ｃは、取付穴４ｂの内部領域Ａ１に挿入された状態において、詳細は後述するように、取付板２４の鉛直方向の位置を下方の位置に調整する程、取付板２４から取付穴４ｂの中心軸線Ｃ２に対して垂直な方向（鉛直方向）で且つ下側への押付力ｆ１が強まるようになっている。これにより、水栓本体１２の取付部１２ｃは、取付穴４ｂの下側内周面４ｃに対して上方から下方に向かって押し付けられるようになっている。
ちなみに、図３では、取付穴４ｂの中心軸線Ｃ２と吐水装置１の中心軸線Ｃ１とが互いに一致していない状態を示しているが、取付板２４の位置を調整して水栓本体１２の取付部１２ｃの位置を調整することにより、両中心軸線Ｃ１，Ｃ２を互いに一致させることもできるようになっている。
【００３０】
つぎに、図１〜図４に示すように、取付板２４（固定部材）は、金属製の薄板で形成され、断面が概ねＬ字形形状のアングル材である。そして、この取付板２４のアーチ形形状の表側面（前面）には、この面から立ち上がるように形成された一対の突起部２４ａ，２４ｂが左右に対称に設けられている。
一方、図１〜図３に示すように、水栓本体１２の取付部１２ｃの外周面には、取付板２４の一対の突起部２４ａ，２４ｂと嵌合可能な一対の凹部１２ｅ，１２ｆが左右対称に設けられている。
また、図３に示すように、取付板２４の各突起部２４ａ，２４ｂと水栓本体１２の取付部１２ｃの各凹部１２ｅ，１２ｆとが取付穴４ｂの内部領域Ａ１内において嵌合した状態では、各突起部２４ａ，２４ｂが取付穴４ｂの軸方向（中心軸線Ｃ２の方向）に突出している。また、このような嵌合状態では、取付板２４の鉛直方向の位置が下方の位置に調整される程、各突起部２４ａ，２４ｂが、水栓本体１２の取付部１２ｃ（本体部）の各凹部１２ｅ，１２ｆを下側に押し付ける力（押付力ｆ２）が強められるようになっている。
さらに、図３に示すように、取付板２４の各突起部２４ａ，２４ｂが、取付穴４ｂの内部領域Ａ１で水栓本体１２の取付部１２ｃの各凹部１２ｅ，１２ｆに嵌合した状態において、水栓本体１２の取付部１２ｃが取付穴４ｂの下側内周面４ｃに対して上方から下方に向かって押し付けられた際には、取付板２４の各突起部２４ａ，２４ｂが水栓本体１２の取付部１２ｃ（本体部）の各凹部１２ｅ，１２ｆを下側に押し付ける力（押付力ｆ２）と、取付穴４ｂから水栓本体１２の取付部１２ｃの下側面に作用する力（反力ｆ３）とが互いに対向する方向（挟み込む方向）に作用するようになっている。
ここで、本実施形態では、取付板２４は、一対の突起部２４ａ，２４ｂが設けられた雄側構造とし、水栓本体１２の取付部１２ｃは、一対の凹部１２ｅ，１２ｆが設けられた雌側構造とした形態について説明する。
しかしながら、両部材１２，２４については、互いに嵌合可能な構造であれば、雄側構造と雌側構造とを入れ替えた形態であってもよいし、雄側構造及び雌側構造の双方を備えた形態であってもよい。
【００３１】
つぎに、図１〜図４に示すように、取付板２４の上部のフランジ部２４ｃには、一対のねじ穴２４ｄ，２４ｅが左右対称に形成されており、各ねじ穴２４ｄ，２４ｅには、一対の取付板用ねじ部材２６，２８（固定部材）が螺合可能となっている。これにより、各ねじ部材２６，２８は、取付板２４の上部のフランジ部２４ｃに左右対称に取り付けられている。
また、手洗い器４の縦壁部４ａの裏側面Ｂ１の上方の凹部天面４ｄ（図４参照）には、陶器保護用プレート２２が貼り付けられている。そして、各ねじ穴２４ｄ，２４ｅに螺合した状態の各ねじ部材２６，２８の先端（上端）は、その上方の陶器保護用プレート２２の底面２２ａに当接可能となっている。
さらに、各ねじ部材２６，２８を軸回りに回転させて、各ねじ部材２６，２８のねじ山（図示せず）を軸方向に移動させると、取付板２４のフランジ部２４ｃが上下動し、取付板２４の全体が各ねじ部材２６，２８を軸回りの回転方向と回転数に応じて上下動することができるようになっている。
これにより、陶器保護用プレート２２の底面２２ａと取付板２４のフランジ部２４ｃの上面との間の鉛直方向の距離Ｌ１（図４参照）が調整され、取付穴４ｂに対する取付板２４の相対高さ位置Ｐ１（図１参照）が調整されるようになっている。
【００３２】
つぎに、図１〜図１１を参照して、本発明の第１実施形態によるハンドル装置を備えた吐水装置を水回り器具に取り付ける方法について説明する。
図５〜図１１のそれぞれは、本発明の第１実施形態による吐水装置を手洗い器に取り付ける第１取付工程〜第７取付工程のそれぞれを概略的に説明した図である。
まず、吐水装置を手洗い器に取り付ける準備工程として、縦壁部Ｂに取付穴４ｂが形成された手洗い器４を準備する。
また、準備工程では、パッキン６、台座８、シール部材１０、バルブカートリッジ１４、保持部材１６，１８、ハンドル装置２のハンドル２０、及び、給水ホース３２のそれぞれが組み付けられた状態の吐水装置１の水栓本体１２（本体部）を準備する。
さらに、準備工程では、陶器保護用プレート２２、取付板２４（固定部材）、取付板用ねじ部材２６，２８（固定部材）、座金３０、及び、座金用ねじ部材３４，３６等の付属部品を準備する。
【００３３】
つぎに、図５に示すように、準備工程後の第１取付工程（挿入工程）においては、まず、陶器保護用プレート２２について、手洗い器４の縦壁部４ａの裏側面Ｂ１の上方の凹部天面４ｄ（図４参照）に陶器保護用プレート２２を貼り付ける。
その後、吐水装置１の水栓本体１２（本体部）に接続されている給水ホース３２について、手洗い器４の縦壁部４ａの表側（前側）から取付穴４ｂに挿入し、縦壁部４ａの壁裏側まで貫通させる。
【００３４】
つぎに、図６に示すように、第２取付工程（仮位置決め工程）の前半において、台座８及びパッキン６のそれぞれを手洗い器４の縦壁部４ａの取付穴４ｂの表側口縁部に接触させるように、吐水装置１の水栓本体１２を手洗い器４の縦壁部４ａの表側面上に暫定的に設置し、仮位置決めを行う。
このとき、吐水装置１の水栓本体１２の後端の取付部１２ｃについては、取付穴４ｂの内部領域Ａ１内に仮位置決めされる。また、給水ホース３２は、下方に延びるように下向きに設置される。
ここで、吐水装置１のと給水ホース３２とを接続する継手部３８については、外れないように、必要以上（例えば、軸回りに１回転以上）回転させないように留意する。
【００３５】
つぎに、図６に示すように、吐水装置１のパッキン６及び台座８と取付板２４とが手洗い器４の取付穴４ｂの周囲の縦壁部４ａを前後方向から挟み込むようにするために、手洗い器４の縦壁部４ａの裏側面（背面）の後方から取付板２４を挿入する。
その後、図７に示すように、第３取付工程（嵌合工程）において、取付板２４の各突起部２４ａ，２４ｂと水栓本体１２の取付部１２ｃの各凹部１２ｅ，１２ｆとを取付穴４ｂの内部領域Ａ１内において嵌合させる。
そして、取付板２４を前方に移動させて、取付板２４の前面を手洗い器４の縦壁部４ａの裏側面Ｂ１に押し当てることにより、吐水装置１のパッキン６及び台座８と取付板２４とが手洗い器４の取付穴４ｂの周囲の縦壁部４ａを前後方向から挟み込んだ状態となる。
【００３６】
つぎに、図８に示すように、第４取付工程において、取付板２４の後方側において、概ねＵ字形形状の座金３０の溝３０ａ内に継手部３８の前後方向に延びる軸部３８ａが挿入されるように、座金３０を斜め下方から取付板２４の背面上に移動させる。
その後、図９に示すように、第５取付工程において、座金３０を継手部３８の軸部３８ａの中心軸線Ｃ１を中心に回転させた後、座金３０の前面を取付板２４の背面に押し当てる。
【００３７】
つぎに、図１０に示すように、第６取付工程において、継手部３８の軸部３８ａの左右両側に設けられた各ねじ穴３８ｂ，３８ｃに対し、各座金用ねじ部材３４，３６を取り付けて、これらのねじ部材３４，３６をドライバー４０で締め込む。
ここで、各ねじ部材３４，３６をドライバー４０で締め込む際には、各ねじ部材３４，３６の先端が座金３０の背面に接触していれば、軽く締め込む程度でよい。
また、各ねじ部材３４，３６については、取付板２４の各突起部２４ａ，２４ｂと水栓本体１２の取付部１２ｃの各凹部１２ｅ，１２ｆとの互いの嵌合が外れないように、左右バランスよく同程度の締込力で締め込む。
具体的には、水栓本体１２（本体部）や取付板２４が位置調整可能に動ける程度で、パッキン６を軽く潰す程度の締込力であればよい。
さらに、各ねじ部材３４，３６の過度な締め込みにより、水栓本体１２（本体部）が固定された状態になっている場合には、水栓本体１２（本体部）や取付板２４が位置調整可能に動ける程度まで各ねじ部材３４，３６を緩める。
【００３８】
つぎに、図１１に示すように、第７取付工程（調整／押付工程）において、取付板２４のフランジ部２４ｃの左右両側に設けられた各ねじ穴２４ｄ，２４ｅに対し、各取付板用ねじ部材２６，２８を取り付けて、これらのねじ部材２６，２８をドライバー４０で左右バランスよく同程度の締込力で締め込む。
ここで、各ねじ部材２６，２８をドライバー４０で締め込む際には、陶器保護用プレート２２の底面２２ａと取付板２４のフランジ部２４ｃの上面との間の鉛直方向の距離Ｌ１が左右に亘って均一になるように、数回の締込作業に分けて締め込む。
また、各ねじ部材２６，２８をドライバー４０で締め込む際、一度の締込作業で締め込もうとすると、水栓本体１２が手洗い器４の縦壁部４ａに対して斜めに傾いた姿勢で取り付けられる恐れもある。
したがって、各ねじ部材２６，２８をドライバー４０で締め込む際には、水栓本体１２が手洗い器４の縦壁部４ａの左右方向の中央に配置され、かつ、水栓本体１２の吐水部１２ｂの吐水口１２ｄが下方に差し向けられているかを必ず確認する。
そして、水栓本体１２が傾いた姿勢となっている場合には、再度、各ねじ部材２６，２８を緩め、上述した同様な締込作業を繰り返しながら、取付穴４ｂに対する取付板２４の相対高さ位置Ｐ１を調整する。
さらに、取付板２４の相対高さ位置Ｐ１が調整されると、取付板２４の各突起部２４ａ，２４ｂに嵌合している水栓本体１２の取付部１２ｃの各凹部１２ｅ，１２ｆの取付穴４ｂに対する相対高さ位置についても調整される。
【００３９】
つぎに、図３及び図４に示すように、最終取付工程（固定工程）において、各座金用ねじ部材３４，３６の増し締めを左右バランスよく行った後、各取付板用ねじ部材２６，２８の増し締めを左右バランスよく行い、再び、各座金用ねじ部材３４，３６の増し締め作業を行う。
そして、図３に示すように、水栓本体１２の取付部１２ｃが、取付穴４ｂの内部領域Ａ１に挿入された状態において、取付穴４ｂの下側内周面４ｃに対して上方から下方に向かって押し付けられている状態になっていることを確認する。
さらに、吐水装置１のパッキン６及び台座８と取付板２４とが手洗い器４の取付穴４ｂの周囲の縦壁部４ａを前後方向から挟み込んだ状態になっており、水栓本体１２について、ガタつきなく固定されていることを確認する。
【００４０】
上述した本発明の第１実施形態による吐水装置１によれば、この装置１を手洗い器４（水回り器具）の縦壁部４ａに取り付ける際に、水栓本体１２の取付部１２ｃ（本体部）を手洗い器４の縦壁部４ａの取付穴４ｂに挿入した状態で、取付穴４ｂと水栓本体１２の取付部１２ｃとの間に隙間が生じていた場合であっても、取付板２４（固定部材）により、水栓本体１２の取付部１２ｃを取付穴４ｂに押し付けた状態にして固定することができる。
したがって、水栓本体１２の取付部１２ｃを手洗い器４の取付穴４ｂと取付板２４とにより挟み込んで確実に固定することができる。
また、水栓本体１２の取付部１２ｃが固定された状態において、ハンドル装置２のハンドル（ハンドル操作部）を水栓本体１２に対してその中心軸線Ｃ１と同一の軸線回りに回転操作したとしても、水栓本体１２の取付部１２ｃが常に取付板２４から取付穴４ｂに押し付けられた位置から動き難くなっているため、ハンドル装置２及び水栓本体１２が手洗い器４に対してガタつくことを抑制することができる。
【００４１】
つぎに、本実施形態による吐水装置１によれば、取付板２４が取付穴４ｂの内部領域Ａ１において水栓本体１２の取付部１２ｃを取付穴４ｂの軸方向に対して垂直な方向に押し付けた際に、取付板２４が水栓本体１２の取付部１２ｃを押し付ける力（押付力ｆ１，ｆ２）と取付穴４ｂから本体部に作用する力（反力ｆ３）とが互いに対向する方向（挟み込む方向）に作用することができる。
したがって、取付板２４と取付穴４ｂとが互いに水栓本体１２の取付部１２ｃを挟み込む力を強くすることができるため、水栓本体１２の取付部１２ｃを水回り器具の取付穴４ｂに対して強力に固定することができる。
また、ハンドル装置２のハンドル２０（ハンドル操作部）を回転操作した際においても、ハンドル装置２が手洗い器４に対してガタつくことをより効果的に抑制することができる。
【００４２】
また、本実施形態による吐水装置１によれば、手洗い器４の縦壁部４ａを貫くように形成された取付穴４ｂに対して、水栓本体１２の取付部１２ｃを手洗い器４の表側から挿入して取り付けた際に、取付穴４ｂの内部領域Ａ１内の水栓本体１２の取付部１２ｃを取付板２４により上方から下方に向けて押し付けることができる。
これにより、手洗い器４の縦壁部４ａの取付穴４ｂの内部領域Ａ１内に挿入された水栓本体１２の取付部１２ｃが上方から下方に向けて押し付けられた状態で、ハンドル装置２及び吐水装置１の全体について、水栓本体１２や取付板２４に対して左右対称の位置で施工がし易くなるため、施工性を向上させることができる。
【００４３】
さらに、本実施形態による吐水装置１によれば、水栓本体１２の取付部１２ｃを手洗い器４の取付穴４ｂに挿入して取り付ける際に、取付板２４の各突起部２４ａ，２４ｂと、水栓本体１２の取付部１２ｃの各凹部１２ｅ，１２ｆとを嵌合させることにより、取付板２４から作用する押付力ｆ２について、各突起部２４ａ，２４ｂ及び各凹部１２ｅ，１２ｆを介して水栓本体１２の取付部１２ｃに確実に伝達させることができる。
したがって、取付板２４及び水栓本体１２の取付部１２ｃを手洗い器４に対して確実に固定することができると共に、ハンドル装置２及び吐水装置１の全体のガタつきをより効果的に抑制することができる。
【００４４】
つぎに、本実施形態による吐水装置１によれば、取付板２４の各突起部２４ａ，２４ｂが左右対称に設けられていると共に、水栓本体１２の取付部１２ｃの各凹部１２ｅ，１２ｆが左右対称に設けられている。
これらにより、取付板２４の各突起部２４ａ，２４ｂと水栓本体１２の取付部１２ｃの各凹部１２ｅ，１２ｆとを嵌合させた状態では、突起部及び凹部が単一の場合に比べて、より強力に嵌合させることができる。
また、取付板２４によって水栓本体１２の取付部１２ｃを左右対称にバランスよく押し付けて手洗い器４の取付穴４ｂに対してより確実に固定することができる。
したがって、水栓本体１２の取付部１２ｃ及び取付板２４のそれぞれが手洗い器４の取付穴４ｂに対してガタつくことをさらに効果的に抑制することができる。
よって、ハンドル装置２及び吐水装置１の全体のガタつきをさらに効果的に抑制することができる。
【００４５】
また、本実施形態による吐水装置１によれば、水栓本体１２の取付部１２ｃを手洗い器４の取付穴４ｂに挿入して取り付ける際に、取付穴４ｂが形成されている手洗い器４の縦壁部４ａの厚みが陶器の製造誤差等により変化した場合であっても、取付板２４の各突起部２４ａ，２４ｂが水栓本体１２の取付部１２ｃの各凹部１２ｅ，１２ｆに嵌合可能な状態で取付穴４ｂの軸方向に突出している。
これにより、取付板２４の各突起部２４ａ，２４ｂと水栓本体１２の取付部１２ｃの各凹部１２ｅ，１２ｆとを互いに取付穴４ｂの軸方向において確実に嵌合させることができる。
【００４６】
さらに、本実施形態による吐水装置１によれば、取付板用ねじ部材２６，２８や座金用ねじ部材３４，３６の締め込み具合を調整することにより、取付穴４ｂに対する取付板２４の相対位置を調整することができる。
また、取付板用ねじ部材２６，２８や座金用ねじ部材３４，３６が、取付板２４を手洗い器４に対して固定することができると共に、この固定した取付板２４を介して水栓本体１２の取付部１２ｃを手洗い器４の取付穴４ｂに対して固定する固定部材として機能することができる。
【００４７】
つぎに、本実施形態による吐水装置１によれば、取付板用ねじ部材２６，２８や座金用ねじ部材３４，３６が左右対称に配置されていることにより、取付板２４によって水栓本体１２の取付部１２ｃを取付穴４ｂに対して左右対称にバランスよく押し付けることができる。
【００４８】
また、本実施形態による吐水装置１によれば、ハンドル装置２を基端を支持する水栓本体１２の円筒部１２ａ（本体部）と吐水部１２ｂとが一体に設けられた吐水装置１について、手洗い器４に対してガタつくことを抑制することができる。
【００４９】
つぎに、図１２〜図１４を参照して、本発明の第２実施形態による吐水装置について説明する。
図１２は、本発明の第２実施形態による吐水装置の概略斜視図である。また、図１３は、図１２のＸＩＩＩ−ＸＩＩＩ線に沿った断面図である。さらに、図１４は、本発明の第２実施形態による吐水装置を斜め後方から見た斜視図である。
ここで、図１２〜図１４に示す本発明の第２実施形態による吐水装置１００において、上述した本発明の第１実施形態による吐水装置１の部分と同一部分については同一の符号を付し、これらの説明については省略する。
まず、図１２〜図１４に示すように、本実施形態では、吐水装置１００が取り付けられる水回り器具である陶器製の手洗い器１０４の形状が第１実施形態の吐水装置１が取り付けられる手洗い器４の形状と異なっている。
具体的には、第２実施形態では、手洗い器１０４の縦壁部１０４ａの裏側面Ｂ１０１における取付穴１０４ｂの鉛直方向上方部分において、第１実施形態で説明した手洗い器４の縦壁部４ａの裏側面Ｂ１の上方の凹部天面４ｄ（図４参照）が設けられていない点で、第１実施形態で説明した手洗い器４の形状とは異なっている。
また、図１２〜図１４に示すように、本発明の第２実施形態による吐水装置１００においては、２つの取付板（第１取付板１２４，第２取付板１２６）を備えている構造が、第１実施形態の吐水装置１が単一の取付板２４を備えている構造と異なっている。
したがって、以下、本実施形態の吐水装置１００では、第１取付板１２４及び第２取付板１２６のそれぞれの構造のみについて具体的に説明する。
【００５０】
図１２〜図１４に示すように、本実施形態の吐水装置１００の第１取付板１２４おいては、第１実施形態の吐水装置１の取付板２４の一対の突起部２４ａ，２４ｂと同様に、一対の突起部１２４ａ，１２４ｂが左右に対称に設けられており、各突起部１２４ａ，１２４ｂは、水栓本体１２の取付部１２ｃの各凹部１２ｅ，１２ｆに嵌合可能となっている。
一方、図１２〜図１４に示すように、本実施形態の吐水装置１００の第２取付板１２６おいては、取付板用ねじ部材２６，２８を介して第１取付板１２４の上方に設けられている。
図１３に示すように、第２取付板１２６は、上方から下方に向かって、ベース部１２６ａ、縦板部１２６ｂ、及び、係合突起１２６ｃを備えている。
【００５１】
まず、図１２〜図１４に示すように、第２取付板１２６のベース部１２６ａは、左右方向に延びるように形成されており、各ねじ部材２６，２８が螺合するねじ穴１２６ｄ，１２６ｅがそれぞれ設けられている。
また、図１２〜図１４に示すように、各ねじ穴１２６ｄ，１２６ｅに螺合した状態の各ねじ部材２６，２８の先端部（下端）は、第１取付板１２４の上部のフランジ部１２４ｃの上面に当接している。
すわなち、各ねじ部材２６，２８は、第１取付板１２４及び第２取付板１２６の双方に共通で取り付けられている。
【００５２】
つぎに、図１３に示すように、第２取付板１２６の縦板部１２６ｂは、ベース部１２６ａの前方且つ下方の部分における左右方向の中央部から下方に一定の横幅で延びるように形成されている。
また、図１３に示すように、第２取付板１２６の係合突起１２６ｃは、縦板部１２６ｂの下端から前方に突出している。この係合突起１２６ｃは、取付穴１０４ｂの内部領域Ａ１０１内に位置しており、係合突起１２６ｃの上面１２６ｆが、取付穴１０４ｂの上側内周面に係合可能となっている。
さらに、図１３及び図１４に示すように、第１取付板１２４には、フランジ部１２４ｃの前方の左右方向の中央部から下方の中央部近傍付近まで切り欠かれた切欠き部１２４ｄが形成されている。
【００５３】
また、図１３及び図１４に示すように、第２取付板１２６の縦板部１２６ｂ及び係合突起１２６ｃは、第１取付板１２４の切欠き部１２４ｄ内に配置されている。
各ねじ部材２６，２８を調整することにより、第２取付板１２６の係合突起１２６ｃの下面に対する第１取付板１２４の切欠き部１２４ｄの下面の相対高さ位置が調整され、第２取付板１２６に対する第１取付板１２４の相対高さ位置が調整されるようになっている。
これにより、取付穴１０４ｂに対する第１取付板１２４の相対高さ位置Ｐ１０１が調整可能になっている。
【００５４】
つぎに、図１２〜図１４に示すように、上述した本発明の第２実施形態による吐水装置１００によれば、第１取付板１２４を手洗い器１０４の縦壁部１０４ａに対して直接的に固定することができない場合であっても、第２取付板１２６の係合突起部１２６ｃが取付穴１０４ｂの内部領域Ａ１０１内に位置しており、係合突起１２６ｃの上面１２６ｆが取付穴１０４ｂの上側内周面に係合することができる。
そして、各ねじ部材２６，２８が第２取付板１２６のベース部１２６ａの各ねじ穴１２６ｄ，１２６ｅに螺合した状態では、各ねじ部材２６，２８の先端部（下端）が第１取付板１２４のフランジ部１２４ｃに当接することができる。
例えば、各ねじ部材２６，２８を締め込む程、各ねじ部材２６，２８の先端部（下端）が下方に移動する。
これにより、第１取付板１２４が第２取付板１２６に対して相対的に下方に移動し、第１取付板１２４のフランジ部１２４ｃの上面と第２取付板１２６のベース部１２６ａの底面との間の鉛直方向の距離Ｌ１０１が大きくなる。
また、このとき、各ねじ部材２６，２８を締め込む程、第１取付板１２４と第２取付板１２６との間隔（鉛直方向の距離Ｌ１０１）が大きくなり、第２取付板１２６の係合突起部１２６ｃの上面１２６ｆから取付穴１０４ｂの上側内周面に対して上向きに押し付ける力（図１３に示す押付力ｆ１０１）が強まる。
そして、この押付力ｆ１により、第１取付板１２４のフランジ部１２４ｃには、第２取付板１２６のベース部１２６ａから各ねじ部材２６，２８を介して下向きに押し付ける力、すなわち、第２取付板１２６から第１取付板１２４に作用する反力ｆ１０２（図１４参照）が強まる。
【００５５】
つぎに、図１３に示すように、第１取付板１２４の各突起部１２４ａ，１２４ｂと水栓本体１２の取付部１２ｃの各凹部１２ｅ，１２ｆとが取付穴１０４ｂの内部領域Ａ１０１内において嵌合した状態では、第１取付板１２４の鉛直方向の位置が下方の位置に調整される程、各突起部１２４ａ，１２４ｂが、水栓本体１２の取付部１２ｃ（本体部）の各凹部１２ｅ，１２ｆを下側に押し付ける力（押付力ｆ１０２）が強まる。
さらに、図１３に示すように、第１取付板１２４の各突起部１２４ａ，１２４ｂが、取付穴１０４ｂの内部領域Ａ１０１で水栓本体１２の取付部１２ｃの各凹部１２ｅ，１２ｆに嵌合した状態において、水栓本体１２の取付部１２ｃが取付穴１０４ｂの下側内周面１０４ｃに対して上方から下方に向かって押し付けられた際には、第１取付板１２４の各突起部１２４ａ，１２４ｂが水栓本体１２の取付部１２ｃ（本体部）の各凹部１２ｅ，１２ｆを下側に押し付ける力（押付力ｆ１０２）と、取付穴１０４ｂから水栓本体１２の取付部１２ｃの下側面に作用する力（反力ｆ１０３）とが互いに対向する方向（挟み込む方向）に作用する。
これらの結果、第１取付板１２４が、第２取付板１２６から各ねじ部材２６，２８を介して受ける下向きの反力ｆ１０２によって水栓本体１２の取付部１２ｃの下側面を取付穴１０４ｂの下側内周面１０４ｃに押し付けることができる。
したがって、水栓本体１２の取付部１２ｃを第１取付板１２４及び第２取付板１２６と手洗い器１０４の取付穴１０４ｂとにより挟み込んで確実に固定することができる。
【００５６】
なお、本発明の第１実施形態による吐水装置１においては単一の取付板２４を備えている構造について説明し、また、第２実施形態による吐水装置１００においては２つの取付板（第１取付板１２４，第２取付板１２６）を備えている構造について説明したが、本発明はこれらの形態に限られず、２つの取付板を溶接などにより一体的に構成する形態についても適用可能である。
【００５７】
また、上述した本発明の第１実施形態及び第２実施形態の吐水装置１，１００においては、水回り器具である手洗い器４に取り付ける形態について説明したが、このような形態に限られず、吐水部１２ｂ及び給水ホース３２等を省略したハンドル装置のみを手洗い器４，１０４に取り付ける形態についても適用可能である。
また、ハンドル装置や吐水装置を取り付ける水回り器具についても、陶器製の手洗い器４，１０４に限られず、陶器製以外のものについても適用可能である。
さらに、水回り器具としては、手洗い器以外にも、洗面台や流し台等についても適用可能である。
【符号の説明】
【００５８】
１    本発明の第１実施形態による吐水装置
２    ハンドル装置
４    手洗い器（水回り器具）
４ａ  縦壁部（壁部）
４ｂ  取付穴
４ｃ  取付穴の下側内周面
４ｄ  凹部天面
６    パッキン
８    台座
１０    シール部材
１２    水栓本体（本体部）
１２ａ  円筒部（本体部）
１２ｂ  吐水部
１２ｃ  取付部（本体部）
１２ｄ  吐水口
１２ｅ  凹部
１２ｆ  凹部
１４    バルブカートリッジ
１４ａ  操作レバー
１４ａ  操作レバー
１６    保持部材
１８    保持部材
２０    ハンドル（ハンドル操作部）
２０ａ  摘み部
２２    陶器保護用プレート
２２ａ  陶器保護用プレートの底面
２４    取付板（固定部材）
２４ａ  突起部
２４ｂ  突起部
２４ｃ  フランジ部
２４ｄ  ねじ穴
２４ｅ  ねじ穴
２６    取付板用ねじ部材（固定部材）
２８    取付板用ねじ部材（固定部材）
３０    座金
３０ａ  溝
３２    給水ホース
３４    座金用ねじ部材
３６    座金用ねじ部材
３８    継手部
３８ａ  軸部
３８ｂ  ねじ穴
３８ｃ  ねじ穴
４０    ドライバー
１００    本発明の第２実施形態による吐水装置
１０４    手洗い器（水回り器具）
１０４ａ  縦壁部
１０４ｂ  取付穴
１０４ｃ  取付穴の下側内周面
１２４    第１取付板
１２４ａ  突起部
１２４ｂ  突起部
１２４ｃ  フランジ部
１２４ｄ  切欠き部
１２６    第２取付板
１２６ａ  ベース部
１２６ｂ  縦板部
１２６ｃ  係合突起部
１２６ｄ  ねじ穴
１２６ｅ  ねじ穴
１２６ｆ  係合突起部の上面
Ａ１  取付穴の内部領域
Ａ１０１  取付穴の内部領域
Ｂ１  手洗い器の縦壁部の裏側面
Ｂ１０１  手洗い器の縦壁部の裏側面
Ｃ１  吐水装置の中心軸線、取付穴の中心軸線、及び、継手部の軸部の中心軸線
Ｃ２  取付穴の中心軸線
Ｆ    手洗い器の壁部の表側面
ｆ１  押付力
ｆ２  押付力
ｆ３  反力
ｆ１０１  押付力
ｆ１０２  押付力、反力
ｆ１０３  反力
Ｌ１  取付板のフランジ部の上面と陶器保護用プレートの底面との間の鉛直方向の距離
Ｌ１０１  第１取付板のフランジ部の上面と第２取付板のベース部の底面との間の鉛直方向の距離
Ｐ１  取付穴に対する取付板の相対高さ位置
Ｐ１０１  取付穴に対する第１取付板の相対高さ位置
【図１】
2020111971.tif 000003
【図２】
2020111971.tif 000004
【図３】
2020111971.tif 000005
【図４】
2020111971.tif 000006
【図５】
2020111971.tif 000007
【図６】
2020111971.tif 000008
【図７】
2020111971.tif 000009
【図８】
2020111971.tif 000010
【図９】
2020111971.tif 000011
【図１０】
2020111971.tif 000012
【図１１】
2020111971.tif 000013
【図１２】
2020111971.tif 000014
【図１３】
2020111971.tif 000015
【図１４】
2020111971.tif 000016